(57)【要約】【課題】  より簡易にリンパ液や血液の流通を促進することによって美容効果を一層高めることができる美容パック用シートを実現する。【解決手段】  シート材１０により、顔面を被覆するための、略卵形状に形成された顔面被覆部１２と、オトガイの下面部を被覆するための、台形状に形成された顎下被覆部１６とを形成する。顔面部の皮下組織中に存在するリンパ管の位置に相応して、顔面被覆部１２の表面部に、半球状に形成された多数の突起部１１を突設する。オトガイ下面部の皮下組織中に存在するリンパ管の位置に相応して、半球状に形成された多数の突起部１１を、顎下被覆部１６に突設する。【選択図】        図１
2007222367.tif 000002
【特許請求の範囲】
【請求項１】
所定形状のシート材（１０）の表面部に、人体の皮下組織中に存在するリンパ管（Ｌ）の位置に相応して多数の突起部（１１）を突設した美容パック用シート。
【請求項２】
所定形状のシート材（５０）の表面部に、人体の経絡に沿うつぼ（Ｐ）の位置に相応して多数の突起部（１１）を突設した美容パック用シート。
【発明の詳細な説明】
【技術分野】
【０００１】
本発明は美容パック用シートに関する。具体的には、美容用パックとして肌に貼着して用いられるシートであって、より簡易にリンパ液や血液の流通を促進することによって美容効果を一層高めることができる美容パック用シートを提供せんとするものである。
【背景技術】
【０００２】
従来より、とくに女性の間で、顔面の美容を目的として、顔面に貼着して使用するシートタイプのパックが用いられている。このシートタイプのパックでは、綿紙、軟質のプラスチックなどの素材からなるシート材が用いられ、その平面形状は、顔面形状に合わせて略卵形状に形成されている。
【０００３】
そこで、このような美容パック用シートを使用する場合は、その素材が綿紙であれば、シート材に化粧水・美容液などを含浸させたうえで、顔面に当接させて貼着する。この顔面への貼着状態を一定時間にわたって継続すると、化粧水・美容液などに含まれる有効成分が肌に吸収される。同時に、その間、顔面の肌が外気から遮断されることから、皮膚の温度が上昇する結果、血行が促進されて血液循環がよくなり、新陳代謝が活発化する。また、皮膚の角質層中に水分を取り込むことにより肌を保湿する。さらに、シート材を顔面より剥がすときに、毛穴や肌の溝に詰まった汚れが、シート材に付着して除去されることになる。
【０００４】
ここで、人体には、表皮層に続く真皮層の下の皮下組織中に、リンパ管が張り巡らされている。このリンパ管の中を流れるリンパ液は、細胞からの老廃物や外部からの細菌や異物を、尿を介して体外に排出する作用を有している。
【０００５】
このようなリンパ管は、顔面部の皮下組織中にも存在する。しかし、顔面部の皮下組織中に存在するリンパ管のリンパ液の流れが悪くなると、老廃物の体外への排出が円滑に行われなくなり、肌荒れやしわなどの原因となる。また、水分が溜まって顔面にむくみが生ずることもある。したがって、外部より皮下組織中に存在するリンパ管に刺激を与えてリンパ液の流れを良くすれば、老廃物の体外への排出が円滑に行われるようになり、肌荒れ・しわなどを抑えることが可能となる。
【０００６】
他方、漢方医学では、人体には「経絡」と呼ばれる気の通り道があり、この経絡に沿って多数のつぼが存在するとされ、つぼを刺激することにより血行が促進されるとされている。この経絡は顔面部にも通っており、ここに存在するつぼを刺激すれば、顔面部の血行が促進されて、美容効果がより高められることになる。
【０００７】
そこで、従来は、つぎのような手順で美容パック用シートと顔面マッサージとの双方による効果を得ていた。
１）まず、洗顔をする。
２）ついで、化粧水などを含浸させたシート材を顔面に貼着する。
３）一定時間経過した後、シート材を剥がしてから顔面にマッサージ用クリームを塗布して顔面にハンド・マッサージを施す。
４）ハンド・マッサージが完了したならば、顔面よりマッサージ用クリームを拭き取る。
５）マッサージ用クリームを拭き取ったならば、顔面に乳液を塗布する。
【発明の開示】
【発明が解決しようとする課題】
【０００８】
しかしながら、従来行われていた方法により、美容パック用シートと顔面マッサージとの双方による効果を得ようとすると、従うべき手順が多いことによる煩わしさを伴う、という解決すべき課題があった。
【課題を解決するための手段】
【０００９】
そこで、上記課題に照らし本願発明者が鋭意考究した結果、本発明はなされたものである。そのために、本発明では、美容パックに用いられるシート材の表面部に、皮下組織中に存在するリンパ管の位置に相応するようにして多数の突起部を突設するようにした。
【００１０】
また、シート材の表面部に、人体の経絡に沿うつぼの位置に相応するようにして多数の突起部を突設するようにもした。
【発明の効果】
【００１１】
本発明によるならば、顔面に貼着したシート材に手の指や手のひらを押し当ててさすりあるいは押圧すれば、シート材に設けた突起部が、皮下組織中に存在するリンパ管に刺激を与える結果、皮膚表面からは浅い皮下組織中に存在するリンパ管のリンパ液の流れが良くなるので、老廃物の体外への排出が円滑に行われるようになり、肌荒れやしわなどをより抑えることが可能となる。同様に、シート材に設けられた突起部が、人体の経絡に沿うつぼに刺激を与えるので、血行が促進されて美容効果がより高められることになる。
【００１２】
すなわち、本発明によれば、従来例におけるように、顔面に貼着したシート材を剥がしてから、顔面にマッサージ用クリームを塗布してハンド・マッサージを行い、その後マッサージ用クリームを拭き取る、という手順が不要となり、顔面マッサージがより簡易に行えるようになる。したがって、本発明によりもたらされる効果は、極めて大きい。
【発明を実施するための最良の形態】
【００１３】
本発明では、顔面、オトガイ（下顎）の下面部あるいは頸部に貼着させるシート材の表面部に、皮下組織中に存在するリンパ管または人体の経絡に沿うつぼの位置に相応するように多数の突起部を突設する。以下、実施例により詳しく説明する。
【実施例１】
【００１４】
本発明の実施例１の構成を、図１に示し説明する。ここで、図１は、本実施例における美容パック用シートの構成を示す平面図である。
【００１５】
図１において、１０は、パックとして顔面の皮膚に貼着される、ここでは綿紙を素材とするシート材である。このシート材１０は、顔面を被覆する、略卵形状に形成された顔面被覆部１２と、オトガイの下面部を被覆する、台形状に形成された顎下被覆部１６とからなっている。
【００１６】
また、シート材１０の顔面被覆部１２には、両眼の視界を確保するための２つの楕円状の打抜空部１３ａ，１３ｂと、鼻呼吸を確保するための台形状の打抜空部１４と、口呼吸を確保するための長楕円状の打抜空部１５とが、それぞれ設けられている。
【００１７】
さらに、シート材１０の顔面被覆部１２の縁部４箇所に、Ｖ字状の切欠き１７ａ〜ｄが設けられている。これらの切欠き１７ａ〜ｄは、曲面により形成される顔面にシート材１０を貼着する場合に、シート材１０全体がしわがよらずに顔面に密着するようにするための逃げしろとなっている。
【００１８】
以上の構成に加えて、シート材１０には、本発明の特徴である多数の突起部１１が突設されている。これらの突起部１１は、それぞれ列をなしており、各列は、図２（ａ）の破線で示す顔面部の皮下組織中の各リンパ管Ｌ、および図２（ｂ）の破線で示すオトガイ下面部の皮下組織中のリンパ管Ｌのそれぞれの位置に相応するように配設されている。各リンパ管Ｌは、両耳の下方の皮下組織中に存在する耳介リンパ節に連なっているので、突起部１１の各列は、それぞれ耳介リンパ節に向かうように配するのが好ましい。
【００１９】
このように配設されている突起部１１は、図３（ａ）（断面図）に示すように、半球状に形成されている。この突起部１１は、本実施例では、直径Ｄが３mm、各突起部１１間の間隔Ｓが４mmに設定されているが、本発明は、これに限定されるものではない。また、突起部１１は、シート材１０と一体成形されているが、シート材の素材がプラスチックであれば、図３（ｂ）に示すように、シート材２０にエンボス加工を施して突起部２１を形成するようにしてもよい。
【００２０】
さらに、図３（ｃ）に示すように、シート材３０に突起部３１を接着して設けるようにしてもよい。これによる場合は、突起部３１にシート材３０とは異なる素材を用いることができ、したがって、突起部３１の硬度を自由に設定することができるという利点がある。
【００２１】
また、図３（ｄ）に示すように、シート材４０の非顔面側の表面部の、顔面に当接する各突起部４１と対称の位置に、突起部４２を設けるようにしてもよい。このように構成するならば、非顔面側の突起部４２に手を触接させることにより、顔面側の突起部４１の位置を確認することができる。この他にも、顔面側の突起部４１の位置を確認するための手段としては、非顔面側に突起部４２を設ける代わりに、顔面側の突起部４１の位置を示す黒点やラインを、非顔面側の表面部に印刷するようにしてもよい。この場合は、鏡を用いることにより顔面側の突起部４１の位置を確認することが可能となる。
【００２２】
以上のように構成されたシート材１０を使用する場合は、シート材１０に化粧水などを含浸させてから、顔面被覆部１２（図１）を顔面に押し当てて貼着させた後、顎下被覆部１６をオトガイの下面部に押し当てて貼着させる。そこで、シート材１０の非顔面側の表面部における突起部１１に相応する部位に、手の指や手のひらを押し当ててさすりあるいは押圧することによって、突起部１１によりリンパ管Ｌが位置する顔面の部位に刺激を与える。
【００２３】
リンパ管Ｌが位置する顔面の部位に刺激が与えられれば、その刺激は、顔面の皮膚表面から浅い皮下組織中に存在するリンパ管Ｌに充分に伝わり、リンパ管Ｌのリンパ液の流れが良くなる。その結果、老廃物の体外への排出が円滑に行われるようになり、肌荒れやしわなどを一層抑えることが可能となる。従来例におけるように、顔面に貼着したシート材を剥がした後、顔面にマッサージ用クリームを塗布してハンド・マッサージを施し、その後マッサージ用クリームを拭き取る、という手順が必要でないことになる。
【実施例２】
【００２４】
図４は、本発明の実施例２の構成を示している。ここで、図４は、本実施例における美容パック用シートの構成を示す平面図であり、図１における構成要素に対応する構成要素については、同一の符号を付している。以下では、図１に示した実施例１の構成と異なるところを説明する。
【００２５】
図４において、顔面被覆部５１には、図５に示す顔面部における経絡に沿うつぼの位置に相応するように、突起部１１の各列が配設されている。ここで、本実施例では、両眼および鼻に相応する部位には、部分的に切込みを入れて開閉可能である目蓋被覆部５２ａ，５２１ｂおよび鼻被覆部５３を有するタイプのシート材５０を用い、目蓋被覆部５２ａ，５２１ｂには、突起部１１を配設している。
【００２６】
また、顎下被覆部５４は、実施例１における顎下被覆部１６（図１）よりは長尺に形成され、図５に示した頸部における経絡に沿うつぼの位置に相応するように、突起部１１の各列が配設されている。その他の構成は、図１に示した実施例１と同じである。
【００２７】
また、使用方法も実施例１と同じであり、シート材５０の非顔面側の表面部における突起部１１に相応する部位に、手の指や手のひらを押し当てて押圧すれば、突起部１１がつぼに刺激を与えることになり、血行が促進されて美容効果がより高められることになる。
【００２８】
以上においては、突起部１１として半球状のものを例に挙げて説明した。しかし、本発明は、これに限定されるものではなく、例えば、円錐台状に形成されたものであってもよい。また、図６（斜視図）に示すように、シート材６０に配する突起部６１を、筋状に形成するようにしてもよい。
【００２９】
また、シート材１０（図１），５０（図４）が、顔面被覆部１２，５１と、顎下被覆部１６，５４とからなる場合について説明した。しかし、本発明は、これに限定されるものではない。シート材が顔面被覆部のみからなる場合にも、本発明は適用され得るものである。
【００３０】
さらには、顔面全体を覆って貼着するシート材１０，５０について説明したが、本発明は、これに限られるものではない。その他にも、例えば、乾燥しやすい目のまわりのみを被覆する部分パック用のシート材にも、本発明は適用し得るものである。
【図面の簡単な説明】
【００３１】
【図１】本発明の実施例１の構成を示す平面図である。
【図２】顔面部およびオトガイ下面部の皮下組織中に存在するリンパ管の位置を説明するための説明図である。
【図３】図１に示した突起部の構成を示す断面図である。
【図４】本発明の実施例２の構成を示す平面図である。
【図５】顔面部および頸部に存在する経絡に沿うつぼを説明するための説明図である。
【図６】シート材に突設する突起部の他の構成例を示す斜視図である。
【符号の説明】
【００３２】
１０  シート材
１１  突起部
１２  願面被覆部
１３ａ，１３ｂ，１４，１５  打抜空部
１６  顎下被覆部
１７ａ〜１７ｄ  切欠き
２０  シート材
２１  突起部
３０  シート剤
３１  突起部
４０  シート材
４１，４２  突起部
５０  シート材
５１  顔面被覆部
５２ａ，５２ｂ  目蓋被覆部
５３  鼻被覆部
５４  顎下被覆部
６０  シート材
６１  突起部
Ｌ  リンパ管
Ｐ  つぼ
【図１】
2007222367.tif 000003
【図２】
2007222367.tif 000004
【図３】
2007222367.tif 000005
【図４】
2007222367.tif 000006
【図５】
2007222367.tif 000007
【図６】
2007222367.tif 000008